(57)【要約】【課題】本発明は車載用電子機器に関するもので、再生ジャンル毎の適切な視聴が行えるようにすること。【解決手段】そして、この目的を達成するために本発明は、受信部１２と、この受信部１２に接続された制御装置１３と、この制御装置１３に接続された第１、第２、第３の音声出力端子１４、１５、１６とを備え、前記制御装置１３は、前記受信部１２からの信号により、再生ジャンルを識別するジャンル識別部１７と、このジャンル識別部１７によるジャンル識別により、前記受信部１２と前記第１、第２、第３の音声出力端子１４、１５、１６の接続制御を行う制御部１８とを有し、前記受信部１２と前記第１の音声出力端子１４間には第１のフィルター回路１９を介在させ、前記受信部１２と前記第２の音声出力端子１５間には第２のフィルター回路２１を介在させ、前記受信部１２と前記第３の音声出力端子１６間には第３のフィルター回路２３を介在させ、【選択図】図２
2012204922.tif 000002
【特許請求の範囲】
【請求項１】
受信部と、この受信部に接続された制御装置と、この制御装置に接続された第１、第２の音声出力端子とを備え、前記制御装置は、前記受信部からの信号により、再生ジャンルを識別するジャンル識別部と、このジャンル識別部によるジャンル識別により、前記受信部と前記第１、第２の音声出力端子の接続制御を行う制御部とを有し、前記受信部と前記第１の音声出力端子間には第１のフィルター回路を介在させ、前記受信部と前記第２の音声出力端子間には第２のフィルター回路を介在させた車載用電子機器。
【請求項２】
受信部と、この受信部に接続された制御装置と、この制御装置に接続された第１、第２、第３の音声出力端子とを備え、前記制御装置は、前記受信部からの信号により、音声再生を識別するジャンル識別部と、このジャンル識別部によるジャンル識別により、前記受信部と前記第１、第２、第３の音声出力端子の接続制御を行う制御部とを有し、前記受信部と前記第１の音声出力端子間には第１のフィルター回路を介在させ、前記受信部と前記第２の音声出力端子間には第２のフィルター回路を介在させ、前記受信部と前記第３の音声出力端子間には第３のフィルター回路を介在させ、前記第１のフィルター回路はハイパスフィルター回路とし、前記第２のフィルター回路は第１のローパスフィルター回路とし、前記第３のフィルター回路は第２のローパスフィルター回路とし、前記第２のローパスフィルター回路は、第１のローパスフィルター回路よりも低域側の周波数のみを通過させる構成とした車載用電子機器。
【請求項３】
第１の音声出力端子は、高音用スピーカが接続されるものとし、第２の音声出力端子は、低音用スピーカが接続されるものとし、第３の音声出力端子は、サブウーハーが接続されるものとした請求項２に記載の車載用電子機器。
【発明の詳細な説明】
【技術分野】
【０００１】
本発明は、車両に搭載される車載用電子機器に関する。
【背景技術】
【０００２】
携帯情報機器で再生している音情報を車載用電子機器の受信部に送信し、この車載用電子機器によって、車内に設置されたスピーカからも音を出力させることで、より臨場感のある視聴が行えるようにしたものがある（例えば、特許文献１参照）。
【０００３】
すなわち、携帯情報機器のスピーカはセンタースピーカとして活用し、車内に設置されたスピーカをサイドスピーカとして活用することにより、サラウンド効果を現出させ、より臨場感のある視聴が行えるようにしているのである。
【先行技術文献】
【特許文献】
【０００４】
【特許文献１】特開２００５−２４４８４６号公報
【発明の概要】
【発明が解決しようとする課題】
【０００５】
前記従来例における課題は、視聴する再生ジャンルによっては、内容が聞き取りにくくなると言うことである。
【０００６】
具体的には、ニュース放送の場合には、基本的にはアナウンサーの会話が聞き取りやすいことが非常に重要なこととなるが、このようなニュース放送でもサラウンド効果が現出されると、かえって会話内容が聞き取りにくくなってしまうのである。
【０００７】
そこで、本発明は、再生ジャンル毎の適切な視聴が行えるようにすることを目的とするものである。
【課題を解決するための手段】
【０００８】
そしてこの目的を達成するために本発明は、受信部と、この受信部に接続された制御装置と、この制御装置に接続された第１、第２の音声出力端子とを備え、前記制御装置は、前記受信部からの信号により、再生ジャンルを識別するジャンル識別部と、このジャンル識別部によるジャンル識別により、前記受信部と前記第１、第２の音声出力端子の接続制御を行う制御部とを有し、前記受信部と前記第１の音声出力端子間には第１のフィルター回路を介在させ、前記受信部と前記第２の音声出力端子間には第２のフィルター回路を介在させ、これにより所期の目的を達成するものである。
【発明の効果】
【０００９】
以上のように本発明は、受信部と、この受信部に接続された制御装置と、この制御装置に接続された第１、第２の音声出力端子とを備え、前記制御装置は、前記受信部からの信号により、再生ジャンルを識別するジャンル識別部と、このジャンル識別部によるジャンル識別により、前記受信部と前記第１、第２の音声出力端子の接続制御を行う制御部とを有し、前記受信部と前記第１の音声出力端子間には第１のフィルター回路を介在させ、前記受信部と前記第２の音声出力端子間には第２のフィルター回路を介在させたものであるので、再生ジャンル毎の適切な視聴が行えるようになる。
【００１０】
すなわち、本発明は、前記受信部からの信号により、再生ジャンルを識別するジャンル
識別部を設けているので、その再生ジャンル毎に第１のフィルター回路を介在させた第１の音声出力端子、または第のフィルター回路を介在させた第２の音声出力端子の少なくとも一方から音声出力がスピーカに向けて出力され、その結果として再生ジャンル毎の適切な視聴が行えるようになるのである。
【図面の簡単な説明】
【００１１】
【図１】本発明の実施の形態１にかかる車載用電子機器を車両に搭載した状態を示す平面図
【図２】同車載用電子機器の制御ブロック図
【図３】同車載用電子機器の動作フローチャート
【図４】同車載用電子機器の動作を説明する特性図
【発明を実施するための形態】
【００１２】
以下、本発明の一実施の形態を、図面を用いて説明する。
（実施の形態１）
図１において、１は車両本体を示し、この車両本体１の車内２前方にはハンドル３が配置され、またハンドル３の左方には車載用電子機器４が装着されている。
【００１３】
さらに、車内２の前後の左右にはスピーカ５が配置され、また後方にはサブウーハー６が配置されている。
【００１４】
本実施形態においては、車内２の後部座席で、携帯情報機器７を使用している状態を示しており、この携帯情報機器７で視聴するものの再生ジャンルによって、自身のスピーカ（図２の８）以外に、車内２のスピーカ５、サブウーハー６からも音声出力が出力されるようになっている。
【００１５】
図２は携帯情報機器７と車載用電子機器４の制御ブロックを示している。
【００１６】
この図２に示すように、携帯情報機器７は、動画データの記録部９を有しており、この記録部９から映像信号は表示部１０に出力され、また記録部９から音声信号は自身のスピーカ８に出力されるようになっている。
【００１７】
また、携帯情報機器７は、記録部９から映像信号と音声信号を、送信部１１を介して車載用電子機器４に送信（無線、あるいは有線にて送信）することも出来る構成となっている。
【００１８】
すなわち、車載用電子機器４は、前記携帯情報機器７の送信部１１からの映像信号と音声信号を受信する受信部１２と、この受信部１２に接続された制御装置１３と、この制御装置１３に接続された第１、第２、第３の音声出力端子１４、１５、１６とを備えている。
【００１９】
前記制御装置１３は、前記受信部１２からの信号により、再生ジャンルを識別するジャンル識別部１７と、このジャンル識別部１７によるジャンル識別により、前記受信部１２と前記第１、第２、第３の音声出力端子１４、１５、１６の接続制御を行う制御部１８とを有している。
【００２０】
また、前記受信部１２と前記第１の音声出力端子１４間には第１のフィルター回路１９とスイッチング素子２０を介在させている。
【００２１】
同様に、前記受信部１２と前記第２の音声出力端子１５間には第２のフィルター回路２
１とスイッチング素子２２を介在させている。
【００２２】
同様に、前記受信部１２と前記第３の音声出力端子１６間には第３のフィルター回路２３とスイッチング素子２４を介在させている。
【００２３】
なお、前記第１のフィルター回路１９は図４に示すようにハイパスフィルター回路としている。
【００２４】
また、前記第２のフィルター回路２１は図４に示すように第１のローパスフィルター回路としている。
【００２５】
さらに、前記第３のフィルター回路２３は図４に示すように第２のローパスフィルター回路としている。
【００２６】
この内、前記第３のフィルター回路２３により構成した第２のローパスフィルター回路は、図４に示すように、前記第２のフィルター回路２１により構成した第１のローパスフィルター回路よりも低域側の周波数のみを通過させる構成としている。
【００２７】
つまり、第３のフィルター回路２３に接続された第３の音声出力端子１６には、図１のサブウーハー６が接続されるようになっている。
【００２８】
また、第２のフィルター回路２１に接続された第２の音声出力端子１５には、図１のスピーカ５が接続されている。
【００２９】
さらに、第１のフィルター回路１９に接続された第１の音声出力端子１４には、図１のスピーカ５近傍に配置されたツィータ２５（図面の煩雑化をさけるため図１には図示せず）が接続されている。
【００３０】
次に、図４を用いて第１のフィルター回路１９、第２のフィルター回路２１、第３のフィルター回路２３について説明する。
【００３１】
図４の中心には、図１に示した携帯情報機器７のスピーカ８の特性が示されている。このスピーカ８は、男性アナウンサーの音声周波数（３００〜５５０Ｈｚ）、および女性アナウンサーの音声周波数（４００〜９００Ｈｚ）を含む音声周波数２００〜４ＫＨｚを再生できるようになっているので、携帯情報機器７のスピーカ８でも、十分な再生が出来る。
【００３２】
しかし、携帯情報機器７で視聴しているものを、臨場感を持って楽しむためには、図１のスピーカ５、サブウーハー６、ツィータ２５からも音を出すようにする。
【００３３】
ただし、その時に、携帯情報機器７のスピーカ８から出力される会話が聞こえにくくなるのを防ぐために本実施形態では、前記第１のフィルター回路１９、第２のフィルター回路２１、第３のフィルター回路２３を用いて、スピーカ５、サブウーハー６、ツィータ２５からの音は、スピーカ８から出力される会話とは離れた周波数成分のみとする。
【００３４】
具体的には、図２の携帯情報機器７と車載用電子機器４を接続すると（図３のＳ１）、携帯情報機器７の送信部１１から車載用電子機器４の受信部１２に、映像信号、音声信号、および再生ジャンルが送信される（図３のＳ２）。
【００３５】
つまり、携帯情報機器７の記録部９に記憶された動画データには、映像信号、音声信号
、および再生ジャンルが含まれている。
【００３６】
例えば、アナウンサーが話すニュース放送であっても、その再生ジャンルはニュースであることが記録されている。
【００３７】
同様に、映画である場合には、その再生ジャンルが映画であることが記録されている。
【００３８】
したがって、車載用電子機器４のジャンル識別部１７は、再生ジャンルを識別し（図３のＳ３）、それによって制御部１８によりスイッチング素子２０、２２、２４を適宜オン状態とする（図３のＳ４）。
【００３９】
具体的には、再生ジャンルが、アナウンサーが話すニュースである場合には、スイッチング素子２４だけをオン状態とすることで、携帯情報機器７のスピーカ８以外には、サブウーハー６だけから低音を出力させることで、アナウンサーが話すニュースが聞きやすく、また低音により、臨場感のある視聴が楽しめることになる（図３のＳ５）。
【００４０】
また、再生ジャンルが、映画、ＴＶ番組（ニュースを除く）である場合には、スイッチング素子２０、２２、２４を全てオン状態とすることで、携帯情報機器７のスピーカ８以外、スピーカ５、サブウーハー６、ツィータ２５からも音を出力させることで、より臨場感のある視聴が楽しめることになる。
【００４１】
さらに、再生ジャンルが、ゲームである場合には、スイッチング素子２２、２４をオン状態とすることで、携帯情報機器７のスピーカ８以外、スピーカ５、サブウーハー６からも音を出力させることで、より臨場感のある視聴が楽しめることになる。
【産業上の利用可能性】
【００４２】
以上のように本発明は、受信部と、この受信部に接続された制御装置と、この制御装置に接続された第１、第２の音声出力端子とを備え、前記制御装置は、前記受信部からの信号により、再生ジャンルを識別するジャンル識別部と、このジャンル識別部によるジャンル識別により、前記受信部と前記第１、第２の音声出力端子の接続制御を行う制御部とを有し、前記受信部と前記第１の音声出力端子間には第１のフィルター回路を介在させ、前記受信部と前記第２の音声出力端子間には第２のフィルター回路を介在させたものであるので、再生ジャンル毎の適切な視聴が行えるようになる。
【００４３】
すなわち、本発明は、前記受信部からの信号により、再生ジャンルを識別するジャンル識別部を設けているので、その再生ジャンル毎に第１のフィルター回路を介在させた第１の音声出力端子、または第のフィルター回路を介在させた第２の音声出力端子の少なくとも一方から音声出力がスピーカに向けて出力され、その結果として再生ジャンル毎の適切な視聴が行えるようになるのである
したがって、本発明の車載用電子機器は、車両用などへの搭載が期待されるものとなる。
【符号の説明】
【００４４】
１  車両本体
２  車内
３  ハンドル
４  車載用電子機器
５，８  スピーカ
６  サブウーハー
７  携帯情報機器
９  記録部
１０  表示部
１１  送信部
１２  受信部
１３  制御装置
１４，１５，１６  第１、第２、第３の音声出力端子
１７  ジャンル識別部
１８  制御部
１９  第１のフィルター回路
２０、２２、２４  スイッチング素子
２１  第２のフィルター回路
２３  第３のフィルター回路
２５  ツィータ
【図１】
2012204922.tif 000003
【図２】
2012204922.tif 000004
【図３】
2012204922.tif 000005
【図４】
2012204922.tif 000006